(57)【要約】【課題】渦巻きばねのばね力調整作業を工具を用いることなく、駆動装置のケースの影響を受けることなく容易に実施できる開閉装置の提供。【解決手段】点検カバー１１で開閉される開口部３Ａを有する無目部材３の内部にガイド手段であるガイドレール１５と駆動装置２０が収納され、レール１５から吊り下げられた扉体１はレールの案内で開閉移動する。駆動装置は、端部が扉体１に連結された紐状部材を繰り出し自在に巻き取るためにケース３７の内部に収納された巻取りリールと、このリールから紐状部材が繰り出されるときにリールで紐状部材を巻き取るための戻しばね力が蓄圧される渦巻きばねとを備え、このばねの内外端部はリールの中心軸３５とリールとに連結され、ケースの外側に延出した中心軸の端部に回転操作部材３６が取り付けられ、中心軸を回転させる回転操作部材はケースの下面３７Ａよりも下側へ突出した突出部となっている突部３６Ａを有する。【選択図】図５
2020117946.tif 000002
【特許請求の範囲】
【請求項１】
点検カバーにより開閉される開口部を有する無目部材の内部に配置されたガイド手段と、このガイド手段から吊り下げられているとともに、前記ガイド手段に案内されて開閉移動自在となっている扉体と、前記無目部材の内部に配置され、前記扉体を移動させるための駆動装置とを含んで構成され、
前記駆動装置が、端部が前記扉体に連結された紐状部材と、この紐状部材を繰り出し自在に巻き取るために前記駆動装置のケースの内部に回転自在に収納された巻取りリールと、前記ケースの内部に収納され、前記巻取りリールから前記紐状部材が繰り出されたときにこの巻取りリールが前記紐状部材を巻き取るための戻しばね力が蓄圧される渦巻きばねとを備えている開閉装置において、
前記渦巻きばねの内端部は、前記巻取りリールの回転の中心となっている中心軸に連結されているとともに、外端部は前記巻取りリールに連結され、前記中心軸の端部は前記ケースの外側に延出した延出端部となっていて、この延出端部に前記中心軸を回転させるために回転操作される回転操作部材が取り付けられ、この回転操作部材は前記ケースの下面よりも下側へ突出した突出部を有していることを特徴とする開閉装置。
【請求項２】
請求項１に記載の開閉装置において、前記無目部材の前記開口部を前記点検カバーにより閉じているときに、この点検カバーと前記扉体との間に下から挿入した手により前記突出部で前記回転操作部材が回転操作可能となっていることを特徴とする開閉装置。
【請求項３】
請求項２に記載の開閉装置において、前記突出部は、前記点検カバーの下面よりも下側へ突出していないことを特徴とする開閉装置。
【請求項４】
請求項１〜３のいずれかに記載の開閉装置において、前記回転操作部材の外周部には、前記中心軸を中心とする円周方向に複数個の突部が設けられ、これらの突部が前記突出部となっていることを特徴とする開閉装置。
【請求項５】
請求項４に記載の開閉装置において、前記複数個の突部についての前記円周方向の間隔は、前記回転操作部材の回転角度の如何にかかわらず、少なくとも１個の前記突部が前記ケースの下面よりも下側へ突出している間隔となっていることを特徴とする開閉装置。
【請求項６】
請求項４又は５に記載の開閉装置において、前記複数個の突部は、前記中心軸を中心に等角度で前記回転操作部材に設けられていることを特徴とする開閉装置。
【請求項７】
請求項６に記載の開閉装置において、前記駆動装置には、前記回転操作部材の回転により前記中心軸を節度的に一定角度ずつ回転可能とするための節度的回転手段が設けられ、前記一定角度は、前記複数個の突部についての前記等角度と同じ角度であることを特徴とする開閉装置。
【請求項８】
請求項７に記載の開閉装置において、前記節度的回転手段は、前記中心軸に設けられた多角形部と、この多角形部に弾性接触するばね部材とを含んで構成されていることを特徴とする開閉装置。
【発明の詳細な説明】
【技術分野】
【０００１】
本発明は、無目部材の内部に配置されたガイドレール等のガイド手段に案内されて扉体が開閉移動する開閉装置に係り、例えば、引戸装置や折れ戸装置等の開閉装置に関する。
【背景技術】
【０００２】
下記の特許文献１には、無目部材の内部に配置されたガイドレールによるガイド手段で案内されて扉体が開閉移動する開閉装置が示されている。この開閉装置は、点検カバーにより開閉される開口部を有する無目部材の内部に配置されたガイドレールと、ガイド手段であるガイドレールから吊り下げられ、このガイドレールに案内されて開閉移動自在となっている扉体と、無目部材の内部に配置され、扉体を移動させるための駆動装置とを含んで構成されており、駆動装置は、端部が扉体に連結された紐状部材と、この紐状部材を繰り出し自在に巻き取るために駆動装置のケースの内部に回転自在に収納された巻取りリールと、駆動装置のケースの内部に収納され、巻取りリールから紐状部材が繰り出されたときにこの巻取りリールが紐状部材を巻き取るための戻しばね力が蓄圧される渦巻きばねとを備えたものとなっている。
【先行技術文献】
【特許文献】
【０００３】
【特許文献１】特開２０１４−５５３９９号公報
【発明の概要】
【発明が解決しようとする課題】
【０００４】
以上の開閉装置において、渦巻きばねのばね力は、扉体の開閉移動距離や移動速度等に応じた適切値に調整することが求められ、このような渦巻きばねのばね力調整作業は、無目部材の開口部を閉じていた点検カバーを取り外し、駆動装置のケースの外面に露出して操作部をドライバー等の工具で操作することにより行われている。
【０００５】
本発明の目的は、渦巻きばねのばね力を調整するための作業を、ドライバー等の工具を用いることなく、かつ駆動装置のケースの影響を受けることなく容易に実施できるようになる開閉装置を提供するところにある。
【課題を解決するための手段】
【０００６】
本発明に係る開閉装置は、点検カバーにより開閉される開口部を有する無目部材の内部に配置されたガイド手段と、このガイド手段から吊り下げられているとともに、前記ガイド手段に案内されて開閉移動する扉体と、前記無目部材の内部に配置され、前記扉体を移動させるための駆動装置とを含んで構成され、前記駆動装置が、端部が前記扉体に連結された紐状部材と、この紐状部材を繰り出し自在に巻き取るために前記駆動装置のケースの内部に回転自在に収納された巻取りリールと、前記ケースの内部に収納され、前記巻取りリールから前記紐状部材が繰り出されたときにこの巻取りリールが前記紐状部材を巻き取るための戻しばね力が蓄圧される渦巻きばねとを備えている開閉装置において、前記渦巻きばねの内端部は、前記巻取りリールの回転の中心となっている中心軸に連結されているとともに、外端部は前記巻取りリールに連結され、前記中心軸の端部は前記ケースの外側に延出した延出端部となっていて、この延出端部に前記中心軸を回転させるために回転操作される回転操作部材が取り付けられ、この回転操作部材は前記ケースの下面よりも下側へ突出した突出部を有していることを特徴とするものである。
【０００７】
このように本発明に係る開閉装置では、渦巻きばねの内端部が、巻取りリールの回転の中心となっている中心軸に連結されていて、外端部が巻取りリールに連結され、中心軸の端部は駆動装置のケースの外側に延出した延出端部となっていて、この延出端部に中心軸を回転させるために回転操作される回転操作部材が取り付けられているため、この回転操作部材を回転操作することにより、ドライバー等の工具を用いることなく、渦巻きばねのばね力を容易に調整することができる。また、回転操作部材は、駆動装置のケースの下面よりも下側へ突出した突出部を有しているため、この突出部により、渦巻きばねのばね力を調整するための回転操作部材の回転操作作業を、駆動装置のケースの影響を受けることなく容易に実施することができる。
【０００８】
なお、無目部材の内部に扉体を開閉移動自在に案内するために配置するガイド手段は、扉体の上部に設けられたローラが転動自在に載置されるガイドレールでもよく、あるいは、無目部材に取り付けられるアウター部材と、このアウター部材よりも扉体の開閉移動方向の長さが短くて、扉体に取り付けられるインナー部材と、これらのアウター部材とインナー部材との間に転動自在に配置され、インナー部材をアウターに対して扉体の開閉移動方向に移動自在とするボールとを含んで構成されるスライドレール等でもよい。
【０００９】
また、以上の本発明において、渦巻きばねのばね力を調整する作業は、無目部材の開口部を閉じていた点検カバーを取り外す等することにより開口部を開け、この開口部から無目部材の内部に挿入した手によって回転操作部材を回転させることにより実施できるようにしてもよいが、無目部材の開口部を点検カバーによって閉じているときに、この点検カバーと扉体との間に下から挿入した手によって前記突出部で回転操作部材を回転操作可能としてもよい。
【００１０】
これによると、無目部材に点検カバーをセットして開口部を閉じたままの状態で、突出部で回転操作部材を回転操作して渦巻きばねのばね力を調整する作業を行えるため、この作業を一層容易に実施することができるようになる。
【００１１】
また、このように無目部材の開口部を点検カバーによって閉じているときに、この点検カバーと扉体との間に下から挿入した手により突出部で回転操作部材を回転操作可能とする場合には、この回転操作部材の突出部を点検カバーの下面よりも下側へ突出させないことが好ましい。
【００１２】
これによると、点検カバーが無目部材の開口部を閉じているときは、回転操作部材の突出部を点検カバーで常時覆われた状態にすることができるため、回転操作部材を回転させるために操作されるこの突出部に予期しない外力等が作用することを防止できる。
【００１３】
また、回転操作部材の突出部は、種々の形態により回転操作部材に設けることができる。その一例の形態は、回転操作部材の外周部に、中心軸を中心とする円周方向に複数個の突部を設け、これらの突部を突出部とすることである。また、他の例の形態は、回転操作部材を、中心軸を中心とする円形の部材とし、この円形のうち、駆動装置のケースの下面よりも下側へ突出した部分を突出部とすることである。
【００１４】
また、前者のように回転操作部材の外周部に、中心軸を中心とする円周方向に複数個の突部を設け、これらの突部を前記突出部とする場合には、複数個の突部についての前記円周方向の間隔を、回転操作部材の回転角度の如何にかかわらず、少なくとも１個の突部が駆動装置のケースの下面よりも下側へ突出している間隔とすることが好ましい。
【００１５】
これによると、回転操作部材の回転角度の如何にかかわらず、少なくとも１個の突部が駆動装置のケースの下面よりも下側へ突出しているため、常に突部によって回転操作部材を回転操作することができるようになる。
【００１６】
また、複数個の突部は、中心軸を中心に等角度で設けてもよく、不等角度で設けてもよい。
【００１７】
さらに、複数個の突部を、中心軸を中心に等角度で設ける場合には、前記駆動装置に回転操作部材の回転により中心軸を節度的に一定角度ずつ回転可能とするための節度的回転手段を設け、この節度的回転手段により中心軸が節度的に回転する角度を、複数個の突部についての前記等角度と同じ角度にすることが好ましい。
【００１８】
これによると、それぞれの突部により回転操作部材を回転操作することを、節度的回転手段により中心軸を節度的に一定角度ずつ回転させながら行うことができるため、回転操作部材の回転操作作業を行う者が、回転操作部材の回転角度や回転数を明確に感じてこの回転操作作業を行えるようになる。
【００１９】
なお、節度的回転手段は、中心軸を節度的に一定角度ずつ回転させることができるものであれば、任意の機構によるものでよい。その一例の節度的回転手段は、中心軸に設けられた四角や六角、八角等の多角形部と、この多角形部に弾性接触するばね部材とを含んで構成されたものであり、他の例の節度的回転手段は、中心軸の円周方向に等角度間隔で設けられた複数個の被係止部と、中心軸に対して揺動し、この揺動によりそれぞれの被係止部材に係止する係止部を有するラチェット部材とを含んで構成されたものである。
【００２０】
以上説明した本発明において、ガイド手段により案内されて開閉移動する扉体は、引戸装置のための扉体でもよく、すなわち、本発明に係る開閉装置は、引戸装置でもよく、また、扉体は、折れ戸装置のための扉体でもよく、すなわち、本発明に係る開閉装置は、折れ戸装置でもよく、さらに、扉体は、引戸装置と折れ戸装置を複合させた横引き折れ戸装置のための扉体でもよく、すなわち、本発明に係る開閉装置は、横引き折れ戸装置でもよい。
【００２１】
また、本発明は、扉体が、無目部材の内部に配置されたガイドレール等によるガイド手段と、このガイド手段よりも下側に配置された下レール部材とにより案内されて開閉移動自在となっている開閉装置にも適用することができる。
【発明の効果】
【００２２】
本発明によると、渦巻きばねのばね力を調整するための作業を、ドライバー等の工具を用いることなく、かつ駆動装置のケースの影響を受けることなく容易に実施できるようになるという効果を得られる。
【図面の簡単な説明】
【００２３】
【図１】図１は、本発明に係る開閉装置となっている引戸装置の全体を示す正面図である。
【図２】図２は、無目部材から点検カバーを取り外したときにおける無目部材の内部構造を示す正面図である。
【図３】図３は、図１のＳ３−Ｓ３線断面図である。
【図４】図４は、図２の一部拡大図である。
【図５】図５は、図３の一部拡大図である。
【図６】図６は、回転操作部材を二点鎖線で示した駆動装置の正面図である。
【図７】図７は、駆動装置の平断面図である。
【図８】図８は、回転操作部材と、駆動装置に設けられている節度的回転手段との関係を示す概略正面図である。
【図９】図９は、図８の状態から回転操作部材が回転操作されたときを示す図８と同様の図である。
【発明を実施するための形態】
【００２４】
以下に本発明を実施するための形態を図面に基づいて説明する。本発明に係る開閉装置は引戸装置であり、図１には、扉体１が直線的に移動することにより出入口２を開閉するこの引戸装置の全体正面図が示され、図１は、全閉位置に達している扉体１により出入口２が閉じられているときの状態を示している。この引戸装置の外枠組みは、上枠部材である無目部材３と、扉体１が全閉位置に達して出入口２を閉じたときにこの扉体１の先端が当接する戸先側の竪枠部材４と、この戸先側の竪枠部材４とは扉体１の移動方向反対側に配置されている戸尻側の竪枠部材５と、これらの戸先側の竪枠部材４と戸尻側の竪枠部材５との間に配置されているとともに、出入口２を開けたときの扉体１が収納される戸袋８における出入口２側の端部に配置された竪額縁部材６と、床９における戸袋８の下端に配置された幅木７とにより形成されている。
【００２５】
出入口２は、これらの無目部材３と戸先側の竪枠部材４と戸尻側の竪枠部材５と竪額縁部材６と幅木７により形成された外枠組みの内側の一部の空間となっており、この出入口２は扉体１で開閉されるとともに、出入口２を開けたときの扉体１が収納される戸袋８は、壁１０の内部に収納された壁収納式の戸袋となっている。無目部材３は、戸先側の竪枠部材４から戸尻側の竪枠部材５まで延びる全長を有し、竪額縁部材６は、戸袋８における出入口２側の見切り部材となっている。
【００２６】
図２には、竪額縁部材６を二点鎖線で示した無目部材３の内部構造が示されており、また、図３には、図１のＳ３−Ｓ３線断面図が示されている。この図３に示されているように、無目部材３の全長のうち、出入口２と対応する長さ部分における扉体１の厚さ方向片側には、通常時は点検カバー１１で閉じられている点検用開口部３Ａが設けられている。点検カバー１１の上端部には、無目部材３に形成された被係止部３Ｂに係止する係止部１１Ａが設けられ、この係止部１１Ａを被係止部３Ｂに上から係止することにより、無目部材３の点検用開口部３Ａは点検カバー１１により塞がれる。また、図２に示されているように、戸先側の竪枠部材４にはブラケット４Ａが設けられているとともに、竪額縁部材６にもブラケット６Ａが設けられ、これらのブラケット４Ａ，６Ａに形成された雌ねじ孔に、図１で示した止めねじ１２，１３の雄ねじ軸部を点検カバー１１に形成された孔を貫通させて螺入することにより、点検カバー１１は無目部材３にセットされて、この点検カバー１１より無目部材３の点検用開口部３Ａが閉じられるようになっている。
【００２７】
また、止めねじ１２，１３を取り外し、点検カバー１１の係止部１１Ａを無目部材３の被係止部３Ｂから外すことにより、点検カバー１１は無目部材３から取り外され、これにより、点検用開口部３Ａが開放されるため、この点検用開口部３Ａから、無目部材３の内部に、扉体１を開閉移動させるために収納配置されている扉体移動機構についてのメインテナンス作業等を行えるようになる。
【００２８】
次に、この扉体移動機構について説明する。図３に示されているように、無目部材３の上面３Ｃにおける扉体１の厚さ方向両端部のうち、点検用開口部３Ａ側とは反対側の端部から垂下部３Ｄが垂下し、この垂下部３Ｄにおける無目部材３の内側の面に、板金の折り曲げ品による補強部材１４が取り付けられている。戸先側の竪枠部材４から戸尻側の竪枠部材５まで達する長さ寸法を有するこの補強部材１４に、無目部材３の略全長に渡る長さとなったガイドレール１５がビス等の結合具１６により結合され、このガイドレール１５は、扉体１の直線の開閉移動を案内するための本実施形態におけるガイド手段となっている。図２に示されているように、扉体１は、この扉体１の上部において、ガイドレール１５の係合部１５Ａ（図３の一部拡大図である図５も参照）の上面に転動自在に係合しているローラ１７を備えており、ブラケット１８に回転自在に保持されているこのローラ１７は、無目部材３の長手方向である扉体１の開閉移動方向に２個設けられている。このため、本実施形態に係る引き戸装置は、扉体１が２個のローラ１７により、無目部材３の内部に配置されたガイドレール手段となっているガイドレール１５から吊り下げられた上吊り式の引戸装置になっており、扉体１はガイドレール１５に案内されて開閉移動自在となっている。
【００２９】
また、図２に示されているように、無目部材３の内部空間には、扉体１を自動的に閉じ移動させるための渦巻きばね式の駆動装置２０が配置され、この駆動装置２０は、無目部材３における戸先側の竪枠部材４に近い端部の近傍において、図３に示されているように、ガイドレール１５に、ブラケット２０Ａとビス及びナットによる結合具２２とにより取り付けられている。駆動装置２０からは、後述するように、この駆動装置２０の内部に回転自在に収納されている巻取りリールに一端が結合された図２の合成樹脂製等の紐状部材２１が導出され、この紐状部材２１の他端は、上述した２個のローラ１７のうち、戸先側のローラ１７Ａを回転自在に保持しているブラケット１８Ａに結合されている。扉体１の戸先側の先端が戸先側の竪枠部材４に当接していて扉体１が前記出入口２を全閉としているときに、図１で示す把持部１Ａを握った手によって扉体１を開き移動させると、駆動装置２０から紐状部材２１が巻取りリールを回転させながら繰り出されるとともに、この巻取りリールの回転により、駆動装置２０の内部に収納されている渦巻きばねに戻しばね力が蓄圧され、把持部１Ａから手を離すと、この蓄圧された戻しばね力によって巻取りリールが紐状部材２１を巻き取ることにより、扉体１が自動的に全閉位置まで閉じ移動する。このため、本実施形態に係る引戸装置は、自動閉鎖式の引戸装置である。
【００３０】
また、図２に示されているように、無目部材３の内部空間には、シリンダ式の制動装置２３がピストンロッド２３Ａを戸尻側の竪枠部材５の側に向けて配置され、この制動装置２３は、ガイドレール１５にブラケット２４とビス及びナットによる結合具２５とにより取り付けられている。扉体１の前述した２個のローラ１７のうち、戸尻側のローラ１７Ｂを回転自在に保持しているブラケット１８Ｂには、ピストンロッド２３Ａの先端部と扉体１の開閉移動方向に対向する当接部材２６が取り付けられ、これらのピストンロッド２３Ａの先端部と当接部材２６とのうち、ピストンロッド２３Ａの先端部には、当接部材２６と磁力で接離自在となったマグネットによる接離部材２７が設けられている。
【００３１】
全閉位置に達している扉体１を上述のように開き移動させたときには、当接部材２６に接離部材２７の磁力で接続当接状態となっているピストンロッド２３Ａは伸び作動し、このピストンロッド２３Ａの伸び作動の限度を越えて扉体１が開き移動すると、当接部材２６はピストンロッド２３Ａから分離する。また、扉体１が閉じ移動すると、その途中で当接部材２６はピストンロッド２３Ａの先端部の接離部材２７に当接し、扉体１が閉じ移動を継続することにより、ピストンロッド２３Ａは縮み作動を始める。制動装置２３には、このときにシリンダ式の制動装置２３の内部の空気を絞りながら排出するバルブが設けられているため、扉体１は、このバルブの絞り作用による制動力を受けながら、駆動装置２０により低速で全閉位置まで自動移動する。
【００３２】
なお、上記バルブは、ピストンロッド２３Ａが伸び作動するときには、空気を絞らずにシリンダ式の制動装置２３の内部に流入させるタイプのものであるため、全閉位置からの扉体１の開き移動を、駆動装置２０の渦巻きばねに上述した戻しばね力を蓄圧させるだけの小さな力によって行える。
【００３３】
図２で示されているとおり、戸尻側の竪枠部材５には、ストップ部材３０が取り付けられ、ゴム等の弾性材料からなるこのストップ部材３０は、扉体１の開き移動限位置である後退限位置を規定するものであり、扉体１の戸尻側の端部がストップ部材３０に当接したときに、扉体１は後退限位置に達する。また、当接部材２６には、板ばねで形成されている係止部材３１が取り付けられ、戸尻側の竪枠部材５側へ延びているこの係止部材３１の戸尻側の端部にはＶ字形状部３１Ａが設けられている。また、無目部材３又はガイドレール１５には、回転自在なローラによる被係止部材３２が取り付けられている。扉体１が開き移動し、Ｖ字形状部３１Ａが係止部材３１の上側への弾性変形によって被係止部材３２を乗り越えることにより、Ｖ字形状部３１Ａが被係止部材３２に係止されたときに、扉体１はストップ部材３０で規定される後退限位置に達し、Ｖ字形状部３１Ａの被係止部材３２への係止作用によって扉体１は後退限位置に停止する。
【００３４】
そして、図１で示した把持部１Ａを握った手で扉体１に閉じ移動力を付与すると、係止部材３１の弾性変形によってＶ字形状部３１Ａは被係止部材３２を乗り越え、扉体１は、前述したように、駆動装置２０の渦巻きばねに蓄圧された戻しばね力により、前述したように自動的に閉じ移動する。
【００３５】
また、図１で示した床９のうち、出入口２における前記竪額縁部材６に近い位置には、ガイドローラ３３が配置されている。このガイドローラ３３は、図３で示されているとおり、下方に向かって開口している扉体１の下端部に挿入され、前述したように扉体１がガイドレール１５で案内されて行われる開閉移動は、扉体１の下端部がガイドローラ３３で案内されながら行われるようになっている。
【００３６】
図４は、駆動装置２０の周辺を示す図２の一部拡大図であり、この図４に示されているように、駆動装置２０には、扉体１の厚さ方向が軸方向となっている中心軸３５と、この中心軸３５を回転させるために作業者の手で回転操作される回転操作部材３６とが設けられている。図６には、回転操作部材３６を二点鎖線で示した駆動装置２０の正面図が示され、図７には、駆動装置２０の平断面図が示されている。この図７に示されているように、中心軸３５は、軸方向に離れた二箇所で駆動装置２０のケース３７により回転自在に支持されているとともに、中心軸３５の軸方向の両端部のうち、一方の端部は、ケース３７の外側へ延出した延出端部３５Ａとなっており、この延出端部３５Ａに回転操作部材３６が取り付けられている。ケース３７の内部には、前述した巻取りリール３８が収納配置され、中心軸３５を中心に回転自在となっているこの巻取りリール３８には、図２及び図４でも示されている紐状部材２１が巻回されている。この紐状部材２１の一方の端部は巻取りリール３８に結合されていて、紐状部材２１は、ケース３７に形成された図７の孔３７Ｂからケース３７の外部へ導出され、紐状部材２１の他方の端部は、前述したように、扉体１をガイドレール１５から吊り下げている２個のローラ１７のうち、戸先側のローラ１７Ａを回転自在に保持しているブラケット１８Ａに図４で示した結合具３９で結合されている。
【００３７】
図７に示されているように、巻取りリール３８の内部には、ぜんまいばねによる前述した渦巻きばね４０を収納した空間が設けられ、中心軸３５の外周に巻回状態で配置されているこの渦巻きばね４０の外端部４０Ａは、連結具４１により巻取りリール３８に連結されているとともに、内端部４０Ｂは、中心軸３５に形成された長孔３５Ｂに挿入されることにより、この中心軸３５に連結されている。このため、前述したように、扉体１を全閉位置から開き移動させると、駆動装置２０から紐状部材２１が巻取りリール３８を回転させながら繰り出され、紐状部材２１を繰り出すためのこの巻取りリール３８の回転により、渦巻きばね４０に戻しばね力が蓄圧されることになり、この蓄圧された戻しばね力によって巻取りリール３８が紐状部材２１を巻き取ることにより、扉体１は自動的に閉じ移動する。
【００３８】
そして、扉体１が全閉位置等で停止しているときに、作業者が手で回転操作部材３６を回転操作し、この回転操作により中心軸３５を回転させると、この回転方向に応じて渦巻きばね４０は巻き締められたり、巻き緩められたりするため、渦巻きばね４０の初期値のばね力を調整することができ、これにより、渦巻きばね４０のばね力を、扉体１の開閉移動距離や移動速度等に応じて適切値に調整することができる。
【００３９】
また、図６及び図７に示されているように、本実施形態の駆動装置２０には、回転操作部材３６を回転操作したときに、中心軸３５を節度的に一定角度ずつ回転可能とするための節度的回転手段４３が設けられている。この節度的回転手段４３は、ケース３７の内部において、中心軸３５に設けられた多角形部４４と、この多角形部４４の外面に弾性接触しているばね部材４５とを含んで構成されているものであり、本実施形態の多角形部４４は、中心軸３５の外周に螺合等で固定された六角ナットによるものとなっているため、この多角形部４４は、回転操作部材３６と節度的回転手段４３との関係を概略正面図として示している図８及び図９のように、中心軸３５の円周方向に６個の突起４４Ａが６０度の等間隔で設けられた六角形部となっている。また、ばね部材４５は、図６、図８及び図９に示されているように、多角形部４４における互いに平行となっている２つの外面に弾性的に接触していて、これらの外面を弾性的に挟着するＵ字状又は略Ｕ字状の板ばねによるものであり、このばね部材４５は、ケース３７の内面に止着具４６で止着された止め部材４７により連結部材４８を介してケース３７に止められている。
【００４０】
このため、回転操作部材３６により中心軸３５を回転させたときには、図８及び図９に示されているように、多角形部４４における互いに平行となっている２つの外面に弾性接触していたばね部材４５は、多角形部４４に中心軸３５を中心として６０度の等角度で設けられている突起４４Ａを、ばね部材４５が弾性的に開くことにより、乗り越え、そして、多角形部４４における互いに平行となっている次の２つの外面に弾性接触するため、回転操作部材３６による中心軸３５の回転は、６０度の一定角度ずつの節度的な回転として行われることになる。そして、ばね部材４５が多角形部４４における互いに平行となっている２つの外面に弾性接触しているときは、回転操作部材３６及び中心軸３５の回転はばね部材４５の挟着力により停止することになる。
【００４１】
また、中心軸３５を回転させるために回転操作される回転操作部材３６は、図３及び図５に示されているように、扉体１の厚さ方向が厚さ寸法の方向となっている鉛直姿勢の板状のものであり、この回転操作部材３６の外周部には、図６に示されているように、外径方向に突出した突部３６Ａと内径方向に窪んだ窪み部３６Ｂとが、中心軸３５を中心とする円周方向に交互に６個ずつ設けられ、このため、回転操作部材３６の正面形状は、星形状となっている。そして、６個の突部３６Ａは、中心軸３５を中心とする回転操作部材３６の円周方向に等間隔で設けられているため、これらの突部３６Ａは、中心軸３５を中心に６０度の等角度で設けられ、この６０度の角度は、多角形部４４の上述した６個の突起４４Ａについての中心軸３５を中心とする６０度の等角度の角度と同じである。
【００４２】
なお、回転操作部材３６の外周部に設けられているそれぞれの窪み部３６Ｂは、図６に示されているように、中心軸３５を中心とする回転操作部材３６の円周方向に互いに隣接している２個の突部３６Ａの間の中央位置に設けられているため、これらの窪み部３６Ｂも、突部３６Ａと同様に、中心軸３５を中心に６０度の等角度で設けられている。
【００４３】
そして、多角形部４４の突起４４Ａの位置と、回転操作部材３６の突部３６Ａの位置とが、中心軸３５を中心とする円周方向における同じ角度位置となって、回転操作部材３６は、中心軸３５の前述した延出端部３５Ａに取り付けられている。
【００４４】
また、図６及び図８に示されているように、中心軸３５の回転が節度的回転手段４３により停止しているときに、回転操作部材３６の外周部に６個設けられている突部３６Ａのうち、１個の突部３６Ａの位置が中心軸３５の真下又は略真下の位置となるように、中心軸３５に対する多角形部４４及び回転操作部材３６の回転方向の位置が設定されている。
【００４５】
また、このように６個の突部３６Ａのうち、１個の突部３６Ａの位置が中心軸３５の真下又は略真下の位置となったときには、この突部３６Ａは、図５及び図６に示されているように、駆動装置２０のケース３７の下面３７Ａから下側へ突出している。
【００４６】
さらに、回転操作部材３６により中心軸３５を図６及び図８で示されている状態から回転させて、中心軸３５の回転角度が、図９に示されているように、ばね部材４５が多角形部４４の突起４４Ａに弾性接触する角度となったときには、６個の突部３６Ａのうち、中心軸３５を中心として回転操作部材３６の円周方向に互いに隣接して設けられている２個の突部３６Ａが、駆動装置２０のケース３７の下面３７Ａから下側へ突出している。
【００４７】
これを言い換えると、本実施形態の回転操作部材３６では、この回転操作部材３６に６個設けられている突部３６Ａについての中心軸３５を中心とする円周方向の間隔は、中心軸３５の回転角度の如何にかかわらず、すなわち、回転操作部材３６の回転角度の如何のかかわらず、少なくとも１個の突部３６Ａが駆動装置２０のケース３７の下面３７Ａから下側へ突出する間隔となっている。
【００４８】
以上説明した本実施形態に係る駆動装置２０によると、この駆動装置２０の内部に紐状部材２１を繰り出し自在に巻き取るために収納されている巻取りリール３８に戻しばね力を作用させるための渦巻きばね４０は、中心軸３５を回転させることにより、ばね力を調整できるものとなっているとともに、この中心軸３５には、駆動装置２０のケース３７の外側へ延出した延出端部３５Ａが設けられ、この延出端部３５Ａに回転操作部材３６が取り付けられているため、この回転操作部材３６を作業者が手で回転操作することにより、渦巻きばね４０のばね力を調整するための作業を、ドライバー等の工具を用いることなく、容易に実施することができる。
【００４９】
また、回転操作部材３６には、この回転操作部材３６の回転角度がどのような角度になっても、駆動装置２０のケース３７の下面３７Ａから下側へ突出した少なくとも１個の突部３６Ａが設けられており、この突部３６Ａは、図５で示したように、ケース３７の下面３７Ａから下側へ突出していて、作業者の手（図５では手の指）５０により回転操作部材３６を回転操作することができる突出部となっているため、手５０により回転操作部材３６を回転させて中心軸３５を回転させるための作業を、ケース３７の影響を受けることなく容易に実施することができる。
【００５０】
さらに、本実施形態では、前述した無目部材３の点検用開口部３Ａは点検カバー１１により開閉されるものとなっているが、図５に示されているように、この点検カバー１１を無目部材３にセットしたままの状態で、すなわち、点検カバー１１により無目部材３の点検用開口部３Ａを塞いだままの状態で、この点検カバー１１と扉体１との間に下から挿入した手５０により突部３６Ａで回転操作部材３６を回転操作することができ、このため、渦巻きばね４０のばね力を調整する作業を、点検カバー１１を無目部材３から取り外すことなく実施できるため、この渦巻きばね４０のばね力調整作業を一層容易にかつ短時間で行えるようになる。
【００５１】
また、図５に示されているように、回転操作部材３６のうち、駆動装置２０のケース３７の下面３７Ａから下側へ突出していて、作業者が手５０で回転操作部材３６を回転操作するための前述の突出部となっている突部３６Ａは、点検カバー１１の下面１１Ｂよりも下側へ突出しておらず、この突部３６Ａは点検カバー１１により覆われているため、突部３６Ａに予期しない外力等が作用することを点検カバー１１により防止できる。
【００５２】
さらに、回転操作部材３６に６個設けられている突部３６Ａについての中心軸３５を中心とする円周方向の間隔は、前述したように、回転操作部材３６の回転角度の如何のかかわらず、少なくとも１個の突部３６Ａが駆動装置２０のケース３７の下面３７Ａから下側へ突出する間隔となっているため、回転操作部材３６がどのような回転角度になっても、回転操作部材３６についての回転操作作業を行える。
【００５３】
さらに、本実施形態に係る駆動装置２０には、回転操作部材３６の回転により中心軸３５を節度的に６０度の一定角度ずつ回転可能とするための節度的回転手段４３が設けられ、この一定角度となっている６０度は、回転操作部材３６に６０度の等角度で６個設けられている突部３６Ａについてのこの等角度と同じ角度であるため、回転操作部材３６の回転操作作業を行う作業者が、回転操作部材３６と中心軸３５の回転角度や回転数を明確に感じてこの回転操作作業を行えるようになる。
【００５４】
また、前述したように、中心軸３５に設けられている多角形部４４の突起４４Ａの位置と、回転操作部材３６の突部３６Ａの位置とが、中心軸３５を中心とする円周方向における同じ角度位置となっているため、回転操作部材３６の回転操作作業を行う作業者は、節度的回転手段４３により、回転操作部材３６を介した中心軸３５の回転を、一層実感のある節度的回転として感じながらこの回転操作作業を行える。
【産業上の利用可能性】
【００５５】
本発明は、無目部材の内部に配置されたガイドレール等のガイド手段に案内されて扉体が開閉移動する、例えば、引戸装置や折れ戸装置等の開閉装置に利用することができる。
【符号の説明】
【００５６】
１  扉体
３  無目部材
３Ａ  開口部
１１  点検カバー
１１Ｂ  下面
１５  ガイド手段であるガイドレール
１７，１７Ａ，１７Ｂ  ローラ
２０  駆動装置
２１  紐状部材
３７  ケース
３７Ａ  下面
３５  中心軸
３５Ａ  延出端部
３６  回転操作部材
３６Ａ  突出部となっている突部
３８  巻取りリール
４０  渦巻きばね
４３  節度的回転手段
４４  多角形部
４５  ばね部材
５０  手
【図１】
2020117946.tif 000003
【図２】
2020117946.tif 000004
【図３】
2020117946.tif 000005
【図４】
2020117946.tif 000006
【図５】
2020117946.tif 000007
【図６】
2020117946.tif 000008
【図７】
2020117946.tif 000009
【図８】
2020117946.tif 000010
【図９】
2020117946.tif 000011